(57)【要約】【課題】価格を安価に押えつつ、各ブラシ繊維束の確実なアースを行うことのできる除電ブラシを提供する。【解決手段】表面テープと裏面テープとの間に多数束の導電性ブラシ繊維束の各一端部分を粘着挾持させた構成において、上記表面テープは、導電性ベーステープのブラシ繊維束がわ裏面に、非導電性粘着剤を設けると共に、その少くとも一部に、上記ブラシ繊維束と直交する方向に延長する粘着剤の無い無粘着帯を設けてあり、上記ベーステープの無粘着帯が上記各ブラシ繊維束に導電状態に直接当接された、除電ブラシ。【選択図】        図１
2005010474.tif 000002
【特許請求の範囲】
【請求項１】
表面テープと裏面テープとの間に多数束の導電性ブラシ繊維束の各一端部分を粘着挾持させた構成において、
上記表面テープは、導電性ベーステープのブラシ繊維束がわ裏面に、非導電性粘着剤を設けると共に、その少くとも一部に、上記ブラシ繊維束と直交する方向に延長する粘着剤の無い無粘着帯を設けてあり、
上記ベーステープの無粘着帯が上記各ブラシ繊維束に導電状態に直接当接された、
除電ブラシ。
【発明の詳細な説明】
【０００１】
【発明の属する技術分野】
本発明は、複写機、印刷機、ファクシミリ等のＯＡ機器等における静電気除去のため、表面テープと裏面テープの間に多数束の導電性ブラシ繊維束を粘着挾持させたタイプの除電ブラシにおける全ブラシ繊維束のアースを確実にする改良に関する。
【０００２】
【従来の技術】
従来、除電ブラシとして、通常の非導電性両面テープからなる裏面テープと、上記裏面テープより広幅で、同じく通常の非導電性片面テープからなる表面テープとの間に多数束のブラシ繊維束を互いに間隔をあけて粘着挾持すると共に、表面テープの広幅部分を各ブラシ繊維束の端部とともに裏面に露出させたものが知られており、使用においては、上記裏面テープの他の粘着面をＯＡ機器の導電性被貼着面に貼着すると共に、上記表面テープの露出面を各ブラシ繊維束の露出部分とともに上記導電性被貼着面に圧接貼着し、それにより各ブラシ繊維束を導電性被貼着面に導通状態に当接させるのである。
【０００３】
しかし、上記の従来ブラシは、表面テープの露出面を導電性被貼着面に圧接貼着した際、該露出面の粘着剤がブラシ繊維束の周囲ににじみ出してブラシ繊維束と導電性被貼着面との接触を阻害することが多い。
【０００４】
また、他の従来ブラシとして、アルミテープの両面に導電性粘着剤を施した導電性両面粘着テープからなる裏面テープと、非導電性片面粘着テープからなる表面テープとの間に各ブラシ繊維束を粘着挾持し、各ブラシ繊維束を導電性粘着剤を介して上記アルミテープに予め導通させたものがあり、使用においては、上記裏面テープの他の粘着面をＯＡ機器の合成樹脂製被貼着面に貼着し、上記アルミテープの一端部を、予め配置したアース端子に接続し、それにより各ブラシ繊維束をアルミテープを介してアースするのである。
【０００５】
しかし、この従来ブラシは、使用される導電性両面粘着テープが通常の両面粘着テープの４〜５倍の価格となる欠点があった。
【０００６】
【発明が解決しようとする課題】
本発明は、価格を安価に押えつつ、各ブラシ繊維束の確実なアースを行うことのできる除電ブラシを提供することを課題とする。
【０００７】
【課題を達成するための手段】
そこで、本発明は、
表面テープと裏面テープとの間に多数束の導電性ブラシ繊維束の各一端部分を粘着挾持させた構成において、
上記表面テープは、導電性ベーステープのブラシ繊維束がわ裏面に、非導電性粘着剤を設けると共に、その少くとも一部に、上記ブラシ繊維束と直交する方向に延長する粘着剤の無い無粘着帯を設けてあり、
上記ベーステープの無粘着帯が上記各ブラシ繊維束に導電状態に直接当接された、
除電ブラシを提案する。
【０００８】
本発明における上記「導電性ベーステープ」には、アルミニウム又はその合金、銅又はその合金、ステンレス鋼、その他種々の金属の箔、薄板、板、あるいは導電性合成樹脂のフィルム、薄板、板等のテープ状材が含まれる。
【０００９】
また、上記無粘着帯を導電性ベーステープの「少くとも一部に」とは、一条に限らず複数条設けることも含む。
以下図面を参照して本発明の実施例について詳述する。
【００１０】
【実施例】
図１において、長方形の表面テープ（１）と、同じく長方形同サイズの裏面テープ（２）との間に、ミクロン単位の細いステンレス鋼線の束からなる導電性ブラシ繊維束の多数束（３）…の各一端部分を、互に間隔をあけて両テープ（１）、（２）の長手方向と直角に向けて、粘着剤により粘着挾持して、他端部分を両テープ（１）、（２）から互に平行に突出してある。
【００１１】
上記表面テープ（１）は、図２に示すように、アルミ合金薄板からなる導電性ベーステープ（４）のブラシ繊維束（３）がわ裏面に、該裏面中間部にベーステープ（４）の長手方向に延長する粘着剤の無い小幅の無粘着帯（６）を残して、その両側に通常の非導電性粘着剤（５）、（５）を塗布してあり、又上記裏面テープ（２）は、合成樹脂のベーステープ（７）の両面に通常の非導電性粘着剤（８）、（８）を塗布したものであり、これら表面テープ（１）の粘着剤（５）、（５）面と、裏面テープ（２）の一方の粘着剤（８）とをブラシ繊維束（３）…をはさんで貼り合わせた後、図１（ロ）に示すように上記表面テープ（１）の導電性ベーステープ（４）の無粘着帯（６）に対応する部分を表がわからプレス等により長手全長にわたって凹陥（９）状態に塑性変形させて各ブラシ繊維束（３）…に直接当接させ、それにより導電性ベーステープ（４）を凹陥（９）部分を介して各ブラシ繊維束（３）…と導通させてある。
【００１２】
この場合上記導電性ベーステープ（４）における無粘着帯（６）の凹陥（９）部分は、ブラシ繊維束（３）…の間隔の部分で裏面テープ（２）の粘着剤（８）面と貼着してブラシ繊維束（３）…との接触を維持する。
【００１３】
使用においては、裏面テープ（２）の剥離紙（１０）をはがして粘着剤（８）面をＯＡ機器の非導電性被貼着面（Ｆ）に貼着してブラシ繊維束（３）…を静電気発生物と接触すべき位置に垂下させ、ついで導電性ベーステープ（４）の一端部を、例えば予め配置したアース端子と接続する。このようにすれば、ブラシ繊維束（３）…に吸着した静電気は、凹陥（９）部を介して導電性ベーステープ（４）に流れ、ついでアース端子を経てアースされる。
【００１４】
図３の他の実施例は、同図（ロ）に示すように導電性ベーステープ（４ａ）の裏面上端部に無粘着帯（６ａ）を設けた表面テープ（１ａ）をもって、同図（イ）に示すように裏面テープ（２ａ）との間にブラシ繊維束（３ａ）…を粘着挾持すると共に、上記無粘着帯（６ａ）部分をブラシ繊維束（３ａ）…の各上端部分に凹陥（９ａ）して導通させ、他の構造は図１、２と実質的に同一である。
【００１５】
図４のさらに他の実施例は、同図（ロ）に示すように導電性ベーステープ（４ｂ）の裏面下端部に無粘着帯（６ｂ）を設けた表面テープ（１ｂ）と、裏面テープ（２ｂ）との間にブラシ繊維束（３ｂ）…を粘着挾持すると共に、上記無粘着帯（６ｂ）部分をブラシ繊維束（３ｂ）…の各下部に凹陥（９ｂ）して導通させ、他の構造は図１、２と実質的に同一の例である。
【００１６】
図５の別の実施例は、同図（ロ）に示すように導電性ベーステープ（４ｃ）の裏面に２条の無粘着帯（６ｃ）、（６ｃ）を設けた表面テープ（１ｃ）と、裏面テープ（２ｃ）との間にブラシ繊維束（３ｃ）…を粘着挾持し、無粘着帯（６ｃ）、（６ｃ）部分をそれぞれブラシ繊維束（３ｃ）…がわに凹陥（９ｃ）、（９ｃ）して導通させ、他の構造は図１、２と実質的に同一である。
【００１７】
【発明の効果】
本発明の除電ブラシによれば、表面テープの導電性ベーステープにおける無粘着帯部分を各ブラシ繊維束に直接当接することにより、各ブラシ繊維束を導電性ベーステープに確実に導通させることができ、それによりこれをＯＡ機器等に使用した場合、導電性ベーステープから容易にアースをとれる便利さが得られると共に、高価な導電性粘着剤を使用しないことにより安価に提供できる利点もえられる。
【図面の簡単な説明】
【図１】（イ）本発明による除電ブラシの一部省略斜面図である。
（ロ）同上除電ブラシの拡大横断面図である。
【図２】表面テープの一部省略拡大斜面図である。
【図３】（イ）他の実施例の略線拡大横斜面図である。
（ロ）表面テープの一部省略拡大斜面図である。
【図４】（イ）さらに他の実施例の略線拡大横断面図である。
（ロ）表面テープの一部省略拡大斜面図である。
【図５】（イ）別の実施例の略線拡大横断面図である。
（ロ）表面テープの一部省略拡大斜面図である。
【符号の説明】
１、１ａ、１ｂ、１ｃ  表面テープ
２、２ａ、２ｂ、２ｃ  裏面テープ
３、３ａ、３ｂ、３ｃ  ブラシ繊維束
４、４ａ、４ｂ、４ｃ  導電性ベーステープ
５、５ａ、５ｂ、５ｃ  非導電性粘着剤
６、６ａ、６ｂ、６ｃ  無粘着帯
【図１】
2005010474.tif 000003
【図２】
2005010474.tif 000004
【図３】
2005010474.tif 000005
【図４】
2005010474.tif 000006
【図５】
2005010474.tif 000007